(57)【要約】【課題】１回転３６０度または１８０度＋検出器開き角のＸ線投影データから、任意の短時相で造影された時相選択ＣＴ像を良好に生成する。【解決手段】被検体の元投影データ（ａ）を逆投影し、標準ＣＴ像（ｂ）を生成する（Ｓ２１０）。再構成時相範囲を設定する（Ｓ２２０）。標準ＣＴ像（ａ）を再投影し、時相平均投影データ（ｃ）を生成する（Ｓ２３０）。元投影データ（ａ）から時相平均投影データ（ｃ）を減算し、時相変化投影データ（ｄ）を生成する（Ｓ２４０）。時相変化投影データ（ｄ）を逆投影し、時相変化ＣＴ像（ｅ）を生成する（Ｓ２５０）。標準ＣＴ像（ｂ）と時相変化ＣＴ像（ｅ）とを加算し、関心領域が強調表示された時相選択ＣＴ像（ｆ）を生成する（Ｓ２６０）。【選択図】図３
2007143643.tif 000002
【特許請求の範囲】
【請求項１】
Ｘ線を照射するＸ線源と、
被検体をはさんで前記Ｘ線源に対向配置され、Ｘ線を検出してＸ線投影データを出力するＸ線検出器と、
前記Ｘ線源及び前記Ｘ線検出器を搭載して回転可能な回転手段と、
造影剤が注入された被検体を造影撮影するために、前記Ｘ線源、前記Ｘ線検出器、及び前記回転手段を制御する撮影部制御手段と、
前記造影撮影された被検体のＸ線投影データを逆投影し、複数枚の断層像からなる標準ＣＴ像を生成する標準ＣＴ像生成手段と、
前記標準ＣＴ像を再投影し、造影剤が時相平均された時相平均投影データを生成する再投影手段と、
前記被検体の所望の関心領域が造影剤によって造影される時相範囲を設定する時相範囲設定手段と、
前記時相範囲設定手段により設定された時相範囲の前記Ｘ線投影データから前記時相平均投影データを減算し、時相変化投影データを生成する投影データ差分手段と、
前記時相変化投影データを逆投影し、複数枚の断層像からなる時相変化ＣＴ像を生成する時相変化ＣＴ像生成手段と、
前記標準ＣＴ像と前記時相変化ＣＴ像とを加算し、前記所望の関心領域が強調表示された時相選択ＣＴ像を生成する加算手段と、
を備えることを特徴とするＸ線ＣＴ装置。
【請求項２】
前記標準ＣＴ像から被検体の骨領域、及び太い血管を含む領域のうちの少なくとも一方の領域を削除する削除手段又は前記標準ＣＴ像から血管領域のみを抽出する血管領域抽出手段の少なくとも一方を更に備え、前記再投影手段は前記削除手段によって削除された後の標準ＣＴ像又は前記血管領域抽出手段によって抽出された血管領域の標準ＣＴ像のいずれかを再投影して時相平均投影データを生成する、
ことを特徴とする請求項１に記載のＸ線ＣＴ装置。
【請求項３】
前記時相範囲設定手段は、前記造影撮影された被検体のＸ線投影データに基づいて２次元画像を表示する表示手段と、前記表示手段に表示される２次元画像を参照して前記所望の関心領域が造影剤によって造影される開始時相と終了時相、又は前記所望の関心領域が造影剤によって造影される時相範囲の中心時相と時相幅とを指定する時相範囲指定手段と、を有する、
ことを特徴とする請求項１又は２に記載のＸ線ＣＴ装置。
【発明の詳細な説明】
【技術分野】
【０００１】
本発明は、Ｘ線ＣＴ装置に係り、特に、血管領域造影撮影において、Ｘ線検出器による回転撮影データから、３次元的Ｘ線ＣＴ像を再構成するのに有効な技術に関する。
【背景技術】
【０００２】
近年、血管領域内にカテーテルを挿入して動脈癌や腫瘍の治療を行うＩＶＲ（インターベンショナルラジオロジー）を目的としたＣ型アーム装置で、回転撮影を行い、ＣＴ像や、血管領域の３次元像を表示することのできる機能を備えるＸ線ＣＴ装置が開発されている。
【０００３】
この種のＸ線ＣＴ装置では、２次元Ｘ線検出器としてフラットパネルディテクター（ＦＰＤ）や、Ｘ線イメージィンテンシフアィアとテレビカメラとの組合せからなるＸ線検出器を搭載しており、１回転３６０度または１８０度＋検出器開き角の回転撮影データから、３次元的Ｘ線ＣＴ像を生成する（特許文献１参照）。
【特許文献１】特許第３４９０５０５号公報
【発明の開示】
【発明が解決しようとする課題】
【０００４】
しかしながら、現有の２次元Ｘ線検出器は、その撮影レートが３０［枚／秒］程度のため、３次元的Ｘ線ＣＴ像を生成するに必要な枚数のＸ線投影データ収集するために、５秒間程度の回転撮影時間を要する。一方では、コーンビームＣＴ機能を搭載した血管領域造影撮影において、動脈相や静脈相など複数の造影時相タイミングで選択的にＣＴ像を生成したいという要望がある。
【０００５】
しかし、例えば脳血管領域では血流の速度が速く、上記５秒間の撮影時間の間に造影時相が変化する。一方、選択した短時相のＸ線投影データのみから、ＣＴ再構成演算を行おうとすると、投影角度範囲や、投影枚数が不足するため、ＣＴ像に非一様性や、アーチファクトが発生するという問題がある。
【０００６】
本発明はこのような事情を鑑みてなされたもので、１回転３６０度または１８０度＋検出器開き角のＸ線投影データから、任意の短時相で造影された時相選択ＣＴ像を良好に生成することができるＸ線ＣＴ装置を提供することを目的とする。
【課題を解決するための手段】
【０００７】
上記目的を達成するために、本発明に係るＸ線ＣＴ装置は、Ｘ線を照射するＸ線源と、被検体をはさんで前記Ｘ線源に対向配置され、Ｘ線を検出してＸ線投影データを出力するＸ線検出器と、前記Ｘ線源及び前記Ｘ線検出器を搭載して回転可能な回転手段と、造影剤が注入された被検体を造影撮影するために、前記Ｘ線源、前記Ｘ線検出器、及び前記回転手段を制御する撮影部制御手段と、前記造影撮影された被検体のＸ線投影データを逆投影し、複数枚の断層像からなる標準ＣＴ像を生成する標準ＣＴ像生成手段と、前記標準ＣＴ像を再投影し、造影剤が時相平均された時相平均投影データを生成する再投影手段と、前記被検体の所望の関心領域が造影剤によって造影される時相範囲を設定する時相範囲設定手段と、前記時相範囲設定手段により設定された時相範囲の前記Ｘ線投影データから前記時相平均投影データを減算し、時相変化投影データを生成する投影データ差分手段と、前記時相変化投影データを逆投影し、複数枚の断層像からなる時相変化ＣＴ像を生成する時相変化ＣＴ像生成手段と、前記標準ＣＴ像と前記時相変化ＣＴ像とを加算し、前記所望の関心領域が強調表示された時相選択ＣＴ像を生成する加算手段と、を備えることを特徴とする。
【０００８】
また、前記標準ＣＴ像から被検体の骨領域、及び太い血管を含む領域のうちの少なくとも一方の領域を削除する削除手段又は前記標準ＣＴ像から血管領域のみを抽出する血管領域抽出手段の少なくとも一方を更に備え、前記再投影手段は前記削除手段によって削除された後の標準ＣＴ像又は前記血管領域抽出手段によって抽出された血管領域の標準ＣＴ像のいずれかを再投影して時相平均投影データを生成してもよい。
【０００９】
また、前記時相範囲設定手段は、前記造影撮影された被検体のＸ線投影データに基づいて２次元画像を表示する表示手段と、前記表示手段に表示される２次元画像を参照して前記所望の関心領域が造影剤によって造影される開始時相と終了時相、又は前記所望の関心領域が造影剤によって造影される時相範囲の中心時相と時相幅を指定する時相範囲指定手段と、を有してもよい。
【発明の効果】
【００１０】
本発明によれば、１回転３６０度または１８０度＋検出器開き角のＸ線投影データから、任意の短時相で造影された時相選択ＣＴ像を良好に生成することができる。
【発明を実施するための最良の形態】
【００１１】
以下、添付図面に従って本発明に係るＸ線ＣＴ装置の好ましい実施の形態について詳説する。
【００１２】
図１は、本発明を適用したＣ型アーム方式のコーンビームＸ線ＣＴ装置１の概略構成を示すブロック図である。
【００１３】
図１のコーンビームＸ線ＣＴ装置１は、被検体２に対してＸ線を照射し、被検体２のＸ線透過画像を撮影して投影データを得る撮影部１０と、撮影部１０の各構成要素を制御したり、投影データに基づいて被検体２の３次元的Ｘ線ＣＴ像を再構成したりする制御演算部２０とを備える。
【００１４】
（撮影部１０）
撮影部１０は、被検体２を載せる寝台１７と、寝台１７に載せられた被検体２にＸ線を照射するＸ線源１１、Ｘ線源１１に対向する位置に設置され、被検体２を透通したＸ線を検出することによりＸ線投影データを出力するＸ線検出器（ＦＰＤ）１２と、Ｘ線源１１及びＸ線検出器１２を機械的に接続するＣ型アーム１３とを備える。
【００１５】
また撮影部１０は、Ｃ型アーム１３を保持するＣ型アーム保持体１４と、Ｃ型アーム保持体１４を天井に取り付ける天井支持体１５と、天井支持体１５を図１の状態で、前後左右の２次元方向に移動可能に支持する天井レール１６と、被検体２に造影剤を注入するインジェクタ１８とを備える。
【００１６】
Ｘ線源１１は、Ｘ線を発生するＸ線管１１ｔと、Ｘ線管１１ｔからのＸ線照射の方向を円錐または四角錐状に制御するコリメータ１ｌｃとを備える。
【００１７】
Ｘ線検出器１２は、ＴＦＴ素子を用いるＦＰＤを用いて構成したが、Ｘ線透過像を可視光像に変換するＸ線イメージインテンシファイアと、Ｘ線イメージインテンシファイアによる可視光像を撮影するテレビカメラと、により構成してもよい。
【００１８】
上記Ｃ型アーム１３は、被検体２の撮影に際して、所定の投影角度毎に回転中心軸４を中心として回転移動する。これにより、Ｘ線源１１及びＸ線検出器１２は、ほぼ同一の円軌道上で回転移動しながら、Ｘ線撮影を行う。この回転移動は、回転中心軸４を中心に、Ｘ線源１１とＸ線検出器１２とが描く円軌道を含む面である回転軌道面（ミッドプレーン）３上で行われる。
【００１９】
（制御演算部２０）
制御演算部２０は、撮影部１０を制御する撮影部制御手段１００と、撮影部１０が出力した投影データを収集して格納する画像収集手段１１０と、収集された投影データに基づいて３次元的Ｘ線ＣＴ像を再構成する再構成手段２００と、表示装置８０に画像を表示するための制御を行う画像表示手段１２０と、被検体の関心領域が造影剤によって造影される時相範囲（以下、「再構成時相」という）を設定する再構成時相選択手段１３０とを備える。再構成時相選択手段１３０は、再構成時相の設定を行うためのキーボードやマウスからなる情報入力装置７０に接続される。
【００２０】
撮影部制御手段１００は、Ｃ型アーム１３が、回転中心軸４の回りを回転する（以下、「プロペラ回転」という。）回転移動を制御する撮影系回転制御手段１０１と、天井支持体１５の天井レール１６上での位置を制御してＣ型アーム１３の被検体２に対する位置を２次元的に制御する撮影系位置制御手段１０２と、を備える。
【００２１】
更に撮影部制御手段１００は、Ｘ線管１１ｔに流す管電流のＯＮ、ＯＦＦなどを制御するＸ線照射制御手段１０３と、インジェクタ１８が被検体２に注入する造影剤の注入量及び注入タイミングを制御するインジェクタ制御手段１０４と、寝台１７の位置を制御して被検体２の位置を調整するための寝台位置制御手段１０５と、Ｘ線検出器１２によるＸ線透過像の撮影を制御する検出系制御手段１０６と、を備える。
【００２２】
＜第一実施形態＞
図２乃至図４に基づいて本発明の第一実施形態に係る動作フローを示す。図２は、第一実施形態の構成を示すブロック図、図３は、第一実施形態の処理の流れを示すフローチャートである。図４は、第一実施形態の処理を説明する模式図である。
【００２３】
（再構成手段２００）
図２に示す再構成手段２００は、第一実施形態を特徴づける手段であり、収集されたＸ線投影データおよび設定した再構成時相に基づいて、時相選択３次元的Ｘ線ＣＴ像を生成する。再構成手段２００は、３６０度または１８０度＋検出器開き角のＸ線投影データから通常の３次元的Ｘ線ＣＴ像を生成する標準ＣＴ像生成手段２１０に加え、再投影手段２３０、投影データ差分手段２４０、時相変化ＣＴ像生成手段２５０、及びＣＴ像加算手段２６０を備える。
【００２４】
標準ＣＴ像生成手段２１０は、造影撮影された被検体のＸ線投影データを逆投影し、標準的な３次元的Ｘ線ＣＴ像を生成する。
【００２５】
再投影手段２３０は、３次元的Ｘ線ＣＴ像を入力とし、実際の回転と同一の幾何学系により、Ｘ線検出器に投影される画像データを計算機内で模擬的に計算する手段であり、再構成時相範囲にわたって３次元的Ｘ線ＣＴ像を再投影することにより、造影剤が時相平均された時相平均投影データを生成する。
【００２６】
投影データ差分手段２４０は、再構成時相範囲のＸ線投影データから再構成時相範囲の時相平均投影データを減算し、時相変化投影データを生成する。
【００２７】
この時相変化投影データは、造影された領域のみのデータであり、特に再構成時相範囲内に造影された領域のデータは暗い濃度を示すデータとなり、再構成時相範囲外に造影された領域のデータは明るい濃度を示すデータとなる。
【００２８】
時相変化ＣＴ像生成手段２５０は、時相変化投影データを逆投影し、時相変化ＣＴ像を生成する。
【００２９】
ＣＴ像加算手段２６０は、標準的な３次元ＣＴ像と時相変化ＣＴ像とを加算することにより、再構成時相範囲内に造影された領域が強調された時相選択ＣＴ像を生成する。
【００３０】
以下の図３のフローチャートに基づいて、図２の再構成手段２００の具体的な動作を各ステップ順に説明する。
【００３１】
（ステップＳ１９０）
撮影部制御手段１００により、被検体２の造影剤の注入量及び注入タイミングを制御するとともに、被検体２の３６０度または１８０度＋検出器開き角の回転撮影を行い、画像収集手段１１０により、造影剤により造影されたＸ線投影データを収集する（Ｓ１９０）。以下、画像収集手段１１０により、収集されたＸ線投影データを、元投影データと称する。
【００３２】
（ステップＳ２１０）
標準ＣＴ像生成手段２１０が、画像収集手段１１０により、収集された元投影データを逆投影して、複数枚の断層像からなる標準的な３次元的Ｘ線ＣＴ像（以下、「標準ＣＴ像」という）を生成する（Ｓ２１０）。回転撮影時間の間に造影時相が変化する場合は、ここで生成される標準ＣＴ像は、造影剤が時相平均された３次元的Ｘ線ＣＴ像となる。
【００３３】
（ステップＳ２２０）
再構成時相選択手段１３０により、再構成時相範囲を設定する。具体的には、関心領域が造影剤によって造影されている期間に対応する投影データの造影時相範囲を設定する（Ｓ２２０）。
【００３４】
（ステップＳ２３０）
再投影手段２３０が、ステップＳ２１０により生成された標準ＣＴ像を再投影して、時相平均投影データを生成する（Ｓ２３０）。
【００３５】
（ステップＳ２４０）
投影データ差分手段２４０が、ステップＳ１９０により撮影された元投影データから、ステップＳ２３０が生成した時相平均投影データを引算し、時相変化投影データを生成する（Ｓ２４０）。
【００３６】
（ステップＳ２５０）
時相変化ＣＴ像生成手段２５０が、ステップＳ２４０により生成された時相変化投影データを逆投影して、複数枚の断層像からなる時相変化３次元的Ｘ線ＣＴ像（以下、「時相変化ＣＴ像」という）を生成する（Ｓ２５０）。
【００３７】
（ステップＳ２６０）
ステップＳ２１０が生成した標準ＣＴ像と、ステップＳ２５０が生成した時相変化ＣＴ像との加算を、ＣＴ像加算手段２６０により行い、関心領域が強調された時相選択３次元的Ｘ線ＣＴ像（以下、「時相選択ＣＴ像」という）を生成する（Ｓ２６０）。
【００３８】
次に、図４に示す模式図を用いて、上記の各ステップにて生成される画像について説明する。
【００３９】
ステップＳ１９０により、元投影データ（ａ）が収集される。元投影データ（ａ）は、１枚１枚ごとに、投影角度と造影時相とが異なる。図４に示す造影時相の投影データ（ａ）では、血管領域ｖの分岐血管領域ｖ１、ｖ２のうち、分岐血管領域ｖ１に造影剤が存在しており、図４上で濃く表示されている。
【００４０】
ステップＳ２１０により、元投影データ（ａ）を逆投影し、標準ＣＴ像（ｂ）が生成される。造影されない領域（例えば骨領域）では濃度は不変（造影撮影中、骨領域ｗは通常のＣＴ像の再構成の場合と同様の濃さで一定）であるが、造影撮影される血管領域領域（血管領域ｖ１、ｖ２）では時相平均された濃度値を有する再構成像になる。
【００４１】
ステップＳ２２０により、再構成時相を設定する。ここでは、関心領域である血管領域ｖ１が造影剤によって造影される時相範囲を選択する。図４（ｂ）では、選択された時相範囲の一例を矢印（ＴｓからＴｅまで）で模式的に示す。
【００４２】
ステップＳ２３０により、選択された時相範囲にわたって標準ＣＴ像を再投影し、時相平均投影データ(ｃ）を生成する。時相平均投影データ(ｃ）では、血管領域ｖ１及びｖ２は時相平均された濃度値を有する。
【００４３】
ステップＳ２４０により、設定された再構成時相に対応する範囲の元投影データ（ａ）から時相平均投影データ（ｃ）を減算し、時相変化投影データ（ｄ）を生成する。
【００４４】
ここで、元投影データ（ａ）における血管領域ｖ１は、時相平均投影データ（ｃ）の血管領域ｖの濃度値よりも高い濃度値を有する。元投影データ（ａ）における血管領域ｖ２は時相平均投影データ（ｃ）の血管領域ｖ１の濃度値よりも低い濃度値を有する。
【００４５】
したがって、減算を行うことにより、時相変化投影データ（ｄ）では、選択された再構成時相に造影時相が一致する血管領域ｖ１は黒く、その造影時相にない（他の時相）の血管領域ｖ２は反転して白い線（図４（ｄ）では点線で示す）となる。
【００４６】
ステップＳ２５０により、時相変化投影データ（ｄ）から、時相変化ＣＴ像（ｅ）が生成される。図４では、ステップＳ２２０で選択した再構成時相範囲にある血管領域ｖ１を黒、他の時相の血管領域ｖ２を斜線、骨領域ｗなどの造影されない領域を白抜きで図示する。
【００４７】
ステップＳ２６０により、標準ＣＴ像（ｂ）と時相変化ＣＴ像（ｅ）とを加算し、時相選択ＣＴ像（ｆ）が生成される。両画像を加算することにより、時相選択ＣＴ像（ｆ）では、ステップＳ２２０で選択した再構成時相範囲にある血管領域ｖ１が強調され、他の時相の血管領域ｖ２は時相変化ＣＴ像（ｅ）により打ち消され消去される、又は薄く表示される。なお、骨領域ｗなどの造影されない領域は標準ＣＴ像（ｂ）と同じ画像として残る。
【００４８】
次に、再構成時相選択手段１３０による再構成時相の設定について説明する。図５は、Ｓ２２０において、再構成時相選択手段１３０が再構成時相を設定する際に表示される画面表示例を示す。
【００４９】
画像表示手段１２０は、元投影データ（ａ）に基づいて生成されるＸ線投影像（２次元画像）４０と、時相バー８１と、開始時相ポイント８２と終了時相ポイント８３と、エディットボックス８４〜８７とを表示装置８０に表示する。
【００５０】
時相バー８１上にある再構成開始時相ポイントＴｓ８２、再構成終了時相Ｔｅポイント８３を左右にスライドすることにより、再構成時相が設定される。スライド操作に応じて、再構成時相の中心時相に相当する元投影データ（ａ）から生成されたＸ線投影像４０が更新表示される。
【００５１】
元投影データ（ａ）から生成されるＸ線投影像４０を表示する場合は、時相バー８１上で設定された時相のうち、中心時相の１投影像をそのまま表示するが、例えば、１方向からの複数時相の撮影データが別に存在する場合には、再構成開始時相から再構成終了時相までの１方向投影像の平均値や、最大値、最小値画像を表示できるようにしてもよい。
【００５２】
エディットボックス８４には再構成開始時相の設定値、エディットボックス８５には再構成終了時相の設定値、エディットボックス８６には選択した再構成時相の時間範囲が表示される。再構成開始時相ポイントＴｓ８２、再構成終了時相Ｔｅポイント８３が左右にスライドされると、そのスライド操作に応じて、エディットボックス８４、８５の表示値は更新表示される。時相選択再構成開始ボタン８７をクリックすると、時相平均３次元的Ｘ線ＣＴ像（ｂ）以降の画像の生成を開始する。
【００５３】
なお、再構成時相選択手段１３０は時相バー８１を表示して再構成時相を設定し、設定された再構成時相の中心時相のＸ線投影像４０を一枚表示させるほか、再構成時相の範囲内の複数のＸ線投影像をサムネイル表示またはシネ表示してもよい。また、この場合、中心時相のＸ線投影像をマウス等で指定し、時相幅を指定してもよいし、予めプリセットされた時相幅を使用してもよい。
【００５４】
また、上記では、再構成時相選択手段１３０は、表示装置８０に再構成時相を設定する際にＸ線投影像４０を表示させたが、標準ＣＴ像（ｂ）を表示させてもよい。この場合、所望の関心領域として、例えば血管領域ｖ１をマウスで指定すると、再構成時相選択手段１３０は、画像収集手段１１０により収集された元投影データ（ａ）から血管領域ｖ１が濃く造影されている時相範囲を抽出し、その抽出された時相範囲を再構成時相の範囲に設定してもよい。
【００５５】
第一実施形態により、標準ＣＴ像（ａ）と時相変化ＣＴ像（ｅ）とを加算するので、関心領域が強調表示された時相選択ＣＴ像（ｆ）を生成できる。また、投影角度範囲や投影枚数の不足によるＣＴ像の非一様性やアーチフアクトの発生を低減でき、１回転３６０度または１８０度＋検出器開き角のＸ線投影データから任意の短時相で造影された時相選択ＣＴ像を良好に生成することができる。
【００５６】
＜第二実施形態＞
本実施形態では、再構成手段２００は、標準ＣＴ像から被検体の骨領域、及び太い血管領域を含む領域のうちの少なくとも一方の領域を削除する領域削除手段を更に備える。再投影手段２３０は、削除後の標準ＣＴ像を再投影して時相平均投影データを生成する。
【００５７】
以下、図４に基づいて、本実施形態の処理について説明する。以下では、標準ＣＴ像（ｂ）から被検体の骨領域ｗを削除し、削除後の標準ＣＴ像を再投影する場合について説明する。
【００５８】
まず、Ｓ１９０乃至Ｓ２２０の処理については、第一実施形態と同様に行う。次に、Ｓ２３０において、領域削除手段は、標準ＣＴ像（ｂ）の骨領域ｗを除いて再投影し、時相平均投影データ（ｃ）を生成する。Ｓ２３０以降の処理については、第一実施形態と同様に行う。
【００５９】
本実施形態により、骨領域ｗを削除された標準ＣＴ像を再投影し、時相平均投影データを生成するので、投影角度範囲や投影枚数の不足によるＣＴ像の非一様性や位置ずれによるアーチファクトを低減でき、１回転３６０度または１８０度＋検出器開き角のＸ線投影データから、任意の短時相で造影された時相選択ＣＴ像を良好に生成することができる。
【００６０】
＜第三実施形態＞
第三実施形態では、再構成手段２００は、標準ＣＴ像から着目対象の血管領域のみを抽出する血管領域抽出手段を更に備える。
【００６１】
図６に基づいて、第三実施形態に係る動作フローを示す。図６は、第三実施形態の処理の流れを示すフローチャートである。
【００６２】
（ステップＳ３０１）
Ｓ３０１では、Ｓ１９０と同様に、撮影部制御手段１００が被検体２の回転撮影を行い、画像収集手段１１０が元投影データを収集する（Ｓ３０１）。
【００６３】
（ステップＳ３０２）
Ｓ３０２では、Ｓ２１０と同様に、標準ＣＴ像生成手段２１０が収集された元投影データを逆投影し、周知の方法で、標準血管ＣＴ像（血管領域のみが投影されている）を生成する（Ｓ３０２）。標準血管ＣＴ像を生成する周知の方法としては、造影剤注入前の回転撮影像(マスク像)と造影剤注入時の回転撮影像（ライブ像）とを撮影し、デジタルサブトラクション処理（ＤＳＡ）を施した投影像から再構成する方法がある。
【００６４】
（ステップＳ３０３）
Ｓ３０３では、Ｓ２２０と同様に、再構成時相選択手段１３０が、時相選択血管ＣＴ像を再構成する時相範囲を設定する（Ｓ３０３）。
【００６５】
（ステップＳ３０４）
Ｓ３０４では、血管領域抽出手段が、標準血管領域ＣＴ像から関心領域の血管領域のみを抽出し、再投影して時相平均血管投影データを生成する（Ｓ３０４）。関心領域の血管領域の抽出には、例えば閾値処理を用いる。
【００６６】
（ステップＳ３０５）
Ｓ３０５では、投影データ差分手段２４０が、元投影データから時相平均血管投影データを引算し、時相変化血管投影データを生成する（Ｓ３０５）。
【００６７】
（ステップＳ３０６）
Ｓ３０６では、時相変化ＣＴ像生成手段２５０が、時相変化血管投影データを逆投影して、時相変化血管ＣＴ像を生成する（Ｓ３０６）。
【００６８】
（ステップＳ３０７）
Ｓ３０７では、ＣＴ像加算手段２６０が、標準血管ＣＴ像と時相変化血管ＣＴ像との加算を行い、関心領域が強調表示された時相選択血管ＣＴ像を生成する（Ｓ３０７）。
【００６９】
本実施形態により、標準ＣＴ像から抽出された血管領域のみを再投影するので、時相平均血管投影データを生成できる。また、投影角度範囲や投影枚数の不足によるＣＴ像の非一様性やアーチファクトを低減でき、１回転３６０度または１８０度＋検出器開き角のＸ線投影データから、任意の短時相で造影された時相選択血管ＣＴ像を良好に生成することができる。
【００７０】
なお、上記の実施形態において、再構成手段２００は、時相選択ＣＴ像を投影面上に陰影付けして投影し、擬似３次元画像を生成する擬似３次元画像生成手段を更に備えてもよい。また、表示装置８０は、生成された擬似３次元画像を表示してもよい。
【００７１】
また、上記の実施形態では、Ｘ線検出器としてＦＰＤなどの２次元検出器を用いたが、１次元の線検出器でも２次元検出器でも同じように本実施形態を行うことができる。廃棄
【図面の簡単な説明】
【００７２】
【図１】Ｃ型アーム方式のコーンビームＸ線ＣＴ装置の概略構成を示すブロック図
【図２】第一実施形態の構成を示すブロック図
【図３】第一実施形態の処理の流れを示すフローチャート
【図４】第一実施形態の処理を説明する模式図
【図５】再構成時相選択手段１３０が再構成時相を設定するときに表示される画像表示例を示す模式図
【図６】第三実施形態の処理の流れを示すフローチャート
【符号の説明】
【００７３】
１…コーンビームＸ線ＣＴ装置、２…被検体、３…回転軌道面（ミッドプレーン）、４…回転中心軸、１０…撮影部、１１…Ｘ線源、１１ｔ…Ｘ線管、１１ｃ…コリメータ、１２…Ｘ線検出器、１３…Ｃ型アーム、１４…Ｃ型アーム保持体、１５…天井支持体、１６…天井レール、１７…寝台、１８…インジェクタ、２０…制御演算部、７０…情報入力装置、８０…表示装置、１００…撮影部制御手段、１０１…撮影系回転制御手段、１０２…撮影系位置制御手段、１０３…Ｘ線照射制御手段、１０４…インジェクタ制御手段、１０５…寝台制御手段、１０６…検出系制御手段、１１０…画像収集手段、１２０…画像表示手段、１３０…再構成時相設定手段、２００…再構成手段
【図１】
2007143643.tif 000003
【図２】
2007143643.tif 000004
【図３】
2007143643.tif 000005
【図４】
2007143643.tif 000006
【図５】
2007143643.tif 000007
【図６】
2007143643.tif 000008